(57)【要約】【課題】衛生用紙に対する保持力の強化と衛生用紙の取出しの円滑化とを両立することのできる、衛生用紙収納箱を提供する。【解決手段】衛生用紙収納箱１は、衛生用紙の取出口が形成される取出口形成部１０を備えている。取出口形成部１０は、ミシン目２０、ミシン目２２及びミシン目２４を有している。ミシン目２０は、波状をしており、取出口形成部１０の長手方向に延在している。ミシン目２２は、ミシン目２０の一端２０ａと交わり、かつ取出口形成部１０の長辺１２ａと長辺１２ｂとを結んでいる。ミシン目２４は、ミシン目２０の他端２０ｂと交わり、かつ取出口形成部１０の長辺１２ａと長辺１２ｂとを結んでいる。取出口形成部１０の短手方向について、ミシン目２０における長辺１２ａに最も近い部分である頂部２０ｃから長辺１２ｂまでの距離ｄ１は、頂部２０ｃから長辺１２ａまでの距離ｄ２の半分以下である。【選択図】図２
2018138475.tif 000002
【特許請求の範囲】
【請求項１】
衛生用紙を収納する直方体状の衛生用紙収納箱であって、
当該衛生用紙収納箱の上面において第１及び第２の長辺並びに第１及び第２の短辺で囲まれた長方形状の領域であり、前記衛生用紙の取出口が形成される取出口形成部を備え、
前記取出口形成部は、
当該取出口形成部の長手方向に延在する波状の第１の主切込線と、
前記第１の主切込線の一端と交わり、かつ当該取出口形成部の前記第１の長辺と前記第２の長辺とを結ぶ第２の主切込線と、
前記第１の主切込線の他端と交わり、かつ当該取出口形成部の前記第１の長辺と前記第２の長辺とを結ぶ第３の主切込線と、を有し、
前記取出口形成部の短手方向について、前記第１の主切込線における前記第１の長辺に最も近い部分である頂部から前記第２の長辺までの距離は、当該頂部から前記第１の長辺までの距離の半分以下であることを特徴とする衛生用紙収納箱。
【請求項２】
請求項１に記載の衛生用紙収納箱において、
前記第１乃至第３の主切込線と前記第１の長辺とで囲まれた部分を第１の保持部とし、前記第１乃至第３の主切込線と前記第２の長辺とで囲まれた部分を第２の保持部としたとき、
前記第１の保持部における前記第２の保持部に対向する辺である第１の対向辺は、複数の凸部を有する衛生用紙収納箱。
【請求項３】
請求項２に記載の衛生用紙収納箱において、
前記第１の対向辺が有する前記複数の凸部は、先端が角張った凸部である角凸部を含む衛生用紙収納箱。
【請求項４】
請求項３に記載の衛生用紙収納箱において、
前記第１の対向辺が有する全ての前記凸部が前記角凸部である衛生用紙収納箱。
【請求項５】
請求項２に記載の衛生用紙収納箱において、
前記第１の対向辺が有する前記複数の凸部は、先端が丸みを帯びた凸部である丸凸部を含む衛生用紙収納箱。
【請求項６】
請求項５に記載の衛生用紙収納箱において、
前記第１の対向辺が有する全ての前記凸部が前記丸凸部である衛生用紙収納箱。
【請求項７】
請求項２乃至６の何れかに記載の衛生用紙収納箱において、
前記第１の対向辺において最端に位置する前記凸部は、当該第１の対向辺において最端以外に位置する前記凸部よりも出っ張っている衛生用紙収納箱。
【請求項８】
請求項２乃至７の何れかに記載の衛生用紙収納箱において、
前記第２の保持部における前記第１の保持部に対向する辺である第２の対向辺は、複数の凸部を有する衛生用紙収納箱。
【請求項９】
請求項８に記載の衛生用紙収納箱において、
前記第２の対向辺が有する前記複数の凸部は、先端が角張った凸部である角凸部を含む衛生用紙収納箱。
【請求項１０】
請求項９に記載の衛生用紙収納箱において、
前記第２の対向辺が有する全ての前記凸部が前記角凸部である衛生用紙収納箱。
【請求項１１】
請求項８に記載の衛生用紙収納箱において、
前記第２の対向辺が有する前記複数の凸部は、先端が丸みを帯びた凸部である丸凸部を含む衛生用紙収納箱。
【請求項１２】
請求項１１に記載の衛生用紙収納箱において、
前記第２の対向辺が有する全ての前記凸部が前記丸凸部である衛生用紙収納箱。
【請求項１３】
請求項８乃至１２の何れかに記載の衛生用紙収納箱において、
前記第２の対向辺において最端に位置する前記凸部は、当該第２の対向辺において最端以外に位置する前記凸部よりも出っ張っている衛生用紙収納箱。
【請求項１４】
請求項２乃至１３の何れかに記載の衛生用紙収納箱において、
前記第１の長辺には、前記第１の保持部を当該第１の長辺に沿って折り曲げるための折り線が設けられている衛生用紙収納箱。
【請求項１５】
請求項２乃至１４の何れかに記載の衛生用紙収納箱において、
前記第２の長辺には、前記第２の保持部を当該第２の長辺に沿って折り曲げるための折り線が設けられている衛生用紙収納箱。
【請求項１６】
請求項２乃至１５の何れかに記載の衛生用紙収納箱において、
前記第１の対向辺が有する前記各凸部は、前記第２の長辺まで達している衛生用紙収納箱。
【請求項１７】
請求項１乃至１６の何れかに記載の衛生用紙収納箱において、
前記取出口形成部の長手方向について、前記第１の主切込線の前記一端から前記他端までの距離は、前記第１の長辺の長さよりも小さい衛生用紙収納箱。
【請求項１８】
請求項１７に記載の衛生用紙収納箱において、
前記取出口形成部の長手方向について、前記第１の主切込線の前記一端から前記他端までの距離は、前記第１の長辺の長さの４０％以上６０％以下である衛生用紙収納箱。
【請求項１９】
請求項１乃至１８の何れかに記載の衛生用紙収納箱において、
前記取出口形成部の短手方向について、前記第１の短辺の長さを１としたとき、前記第１の主切込線の前記頂部から前記第２の長辺までの距離は、０．１以上０．３以下である衛生用紙収納箱。
【請求項２０】
請求項１乃至１９の何れかに記載の衛生用紙収納箱において、
前記取出口形成部は、
前記第２の主切込線における前記第１の長辺側の端部と前記第２の長辺とを結ぶ第１の副切込線と、
前記第３の主切込線における前記第１の長辺側の端部と前記第２の長辺とを結ぶ第２の副切込線と、を有する衛生用紙収納箱。
【請求項２１】
請求項２０に記載の衛生用紙収納箱において、
前記第２の主切込線と前記第１の副切込線と前記第２の長辺とで囲まれた部分を第１の補助部とし、前記第３の主切込線と前記第２の副切込線と前記第２の長辺とで囲まれた部分を第２の補助部としたとき、
前記第２の長辺には、前記第１及び第２の補助部を当該第２の長辺に沿って折り曲げるための折り線が設けられている衛生用紙収納箱。
【請求項２２】
請求項２０又は２１に記載の衛生用紙収納箱において、
前記第２の主切込線は、前記第１の副切込線側に膨らんだ曲線状をしている衛生用紙収納箱。
【請求項２３】
請求項２０乃至２２の何れかに記載の衛生用紙収納箱において、
前記第３の主切込線は、前記第２の副切込線側に膨らんだ曲線状をしている衛生用紙収納箱。
【請求項２４】
請求項２０乃至２３の何れかに記載の衛生用紙収納箱において、
前記取出口形成部は、
前記第１の副切込線における前記第２の長辺側の端部と前記第１の長辺とを結ぶ第３の副切込線と、
前記第２の副切込線における前記第２の長辺側の端部と前記第１の長辺とを結ぶ第４の副切込線と、を有する衛生用紙収納箱。
【請求項２５】
請求項２４に記載の衛生用紙収納箱において、
前記第１の副切込線と前記第３の副切込線と前記第１の長辺とで囲まれた部分を第３の補助部とし、前記第２の副切込線と前記第４の副切込線と前記第１の長辺とで囲まれた部分を第４の補助部としたとき、
前記第１の長辺には、前記第３及び第４の補助部を当該第１の長辺に沿って折り曲げるための折り線が設けられている衛生用紙収納箱。
【請求項２６】
請求項１乃至２５の何れかに記載の衛生用紙収納箱において、
前記衛生用紙は、当該衛生用紙収納箱内においてロール状に収納されている衛生用紙収納箱。
【発明の詳細な説明】
【技術分野】
【０００１】
本発明は、衛生用紙を収納する衛生用紙収納箱に関する。
【背景技術】
【０００２】
従来の衛生用紙収納箱としては、例えば特許文献１に記載されたものがある。同文献に記載された収納箱は、ティッシュペーパーを収納する直方体状の箱である。収納箱の上面には、ティッシュペーパーの取出口が形成される取出口形成部が設けられている。取出口形成部には、上面をその短手方向に二等分する中心線に沿って、波状のミシン目が形成されている。
【０００３】
ミシン目に沿って切目を入れた後、切目の両側の部分（保持部）を斜め上方に折り曲げることにより、保持部どうしの間に取出口となる隙間を形成することができる。この収納箱においては、ティッシュペーパーが両保持部によって保持される。そのため、取出口から引き出されたティッシュペーパーが収納箱の中に落ち込みにくい構造となっている。
【先行技術文献】
【特許文献】
【０００４】
【特許文献１】特開平９−１５０８７１号公報
【発明の概要】
【発明が解決しようとする課題】
【０００５】
上述の収納箱においては、ミシン目が波状であるため、各保持部の対向辺（他方の保持部に対向する辺）に凹凸が生じる。かかる凹凸を有する対向辺がティッシュペーパーに接することにより、保持部のティッシュペーパーに対する保持力が強化される。しかしながら、このように保持部の対向辺が凹凸を有する場合、凸部がティッシュペーパーに引っ掛かるため、ティッシュペーパーを円滑に取り出しにくくなるという問題があった。
【０００６】
本発明は、上記課題に鑑みてなされたものであり、衛生用紙に対する保持力の強化と衛生用紙の取出しの円滑化とを両立することのできる、衛生用紙収納箱を提供することを目的とする。
【課題を解決するための手段】
【０００７】
本発明による衛生用紙収納箱は、衛生用紙を収納する直方体状の衛生用紙収納箱であって、当該衛生用紙収納箱の上面において第１及び第２の長辺並びに第１及び第２の短辺で囲まれた長方形状の領域であり、上記衛生用紙の取出口が形成される取出口形成部を備え、上記取出口形成部は、当該取出口形成部の長手方向に延在する波状の第１の主切込線と、上記第１の主切込線の一端と交わり、かつ当該取出口形成部の上記第１の長辺と上記第２の長辺とを結ぶ第２の主切込線と、上記第１の主切込線の他端と交わり、かつ当該取出口形成部の上記第１の長辺と上記第２の長辺とを結ぶ第３の主切込線と、を有し、上記取出口形成部の短手方向について、上記第１の主切込線における上記第１の長辺に最も近い部分である頂部から上記第２の長辺までの距離は、当該頂部から上記第１の長辺までの距離の半分以下であることを特徴とする。
【０００８】
この収納箱においては、第１乃至第３の主切込線が設けられている。これにより、取出口形成部には、第１乃至第３の主切込線と第１の長辺とで囲まれた部分（以下「第１の保持部」という。）と、第１乃至第３の主切込線と第２の長辺とで囲まれた部分（以下「第２の保持部」という。）とが存在する。第１乃至第３の主切込線に沿って切目を入れた後、第１の保持部を斜め上方に折り曲げることにより、第１の保持部と第２の保持部との間に取出口となる隙間を形成することができる。このとき、第１の主切込線が波状であるため、第１及び第２の保持部の対向辺に凹凸が生じる。これにより、第１及び第２の保持部の衛生用紙に対する保持力を強化することができる。
【０００９】
しかも、第１の主切込線の頂部から第２の長辺までの距離は、当該頂部から第１の長辺までの距離の半分以下である。このように第１の主切込線を第２の長辺側に寄せることにより、取出口形成部の短手方向について、第１の保持部の長さが第２の保持部の長さよりも顕著に大きくなる。この場合、折り曲げ後の第１の保持部と第２の保持部との間の隙間を、収納箱の高さ方向に広く確保しやすくなる。隙間が高さ方向に広ければ、衛生用紙を斜めに引き上げることにより、当該隙間を通じて衛生用紙を円滑に取り出すことができる。
【発明の効果】
【００１０】
本発明によれば、衛生用紙に対する保持力の強化と衛生用紙の取出しの円滑化とを両立することのできる、衛生用紙収納箱が実現される。
【図面の簡単な説明】
【００１１】
【図１】本発明による衛生用紙収納箱の一実施形態を示す斜視図である。
【図２】衛生用紙収納箱１の上面を示す平面図である。
【図３】保持部３０を示す平面図である。
【図４】保持部４０を示す平面図である。
【図５】衛生用紙収納箱１の使用時の様子を示す斜視図である。
【図６】図５のVI−VI線に沿った端面の構造を説明するための図である。
【図７】保持部３０の一変形例を説明するための平面図である。
【図８】変形例に係る衛生用紙収納箱の効果を説明するための図である。
【図９】保持部３０の他の変形例を説明するための平面図である。
【図１０】保持部３０の他の変形例を説明するための平面図である。
【図１１】ミシン目２０の一変形例を説明するための平面図である。
【図１２】ミシン目２２及びミシン目２４の一変形例を説明するための平面図である。
【発明を実施するための形態】
【００１２】
以下、図面を参照しつつ、本発明の実施形態について詳細に説明する。なお、図面の説明においては、同一要素には同一符号を付し、重複する説明を省略する。
【００１３】
図１は、本発明による衛生用紙収納箱の一実施形態を示す斜視図である。衛生用紙収納箱１は、衛生用紙を収納する直方体状の箱であって、取出口形成部１０を備えている。衛生用紙としては、例えば、ティッシュペーパー、トイレットペーパー、ペーパータオル等が挙げられる。衛生用紙収納箱１内には、一般的なティッシュペーパーのように複数枚の衛生用紙が重ね合わされた状態で収納されていてもよいし、一般的なトイレットペーパーのように一連の衛生用紙がロール状に収納されていてもよい。衛生用紙は、ロール状のティッシュペーパーであってもよい。衛生用紙収納箱１の材料としては、紙が用いられる。衛生用紙収納箱１は、紙のみからなることが好ましい。
【００１４】
取出口形成部１０は、衛生用紙収納箱１の上面において長辺１２ａ（第１の長辺）及び長辺１２ｂ（第２の長辺）並びに短辺１４ａ（第１の短辺）及び短辺１４ｂ（第２の短辺）で囲まれた長方形状の領域である。取出口形成部１０には、衛生用紙の取出口が形成される。
【００１５】
図２は、衛生用紙収納箱１の上面を示す平面図である。取出口形成部１０は、ミシン目２０（第１の主切込線）、ミシン目２２（第２の主切込線）及びミシン目２４（第３の主切込線）を有している。ミシン目２０は、波状をしており、取出口形成部１０の長手方向（図２の左右方向）に延在している。ミシン目２０は、連続する１本の波線に沿って形成されている。本実施形態において、この波線は、折れ線及び曲線からなる。具体的には、ミシン目２０の両端（一端２０ａ及び他端２０ｂ）の近傍部分が曲線からなり、それ以外の部分が折れ線からなる。各曲線は、長辺１２ａ側に膨らんでいる。各曲線の両端は、長辺１２ｂ上に存在する。折れ線を構成する各線分の一端も、長辺１２ｂ上に存在する。ミシン目２０は、取出口形成部１０を長手方向に二等分する中心線を対象軸として線対称である。
【００１６】
取出口形成部１０の短手方向（図２の上下方向）について、ミシン目２０の頂部２０ｃから長辺１２ｂまでの距離ｄ１（後述する図３及び図４参照）は、頂部２０ｃから長辺１２ａまでの距離ｄ２（図３参照）の半分以下である。頂部２０ｃは、ミシン目２０における長辺１２ａに最も近い部分である。本実施形態においては、後述する凸部４２ａの先端が頂部２０ｃに相当する。短辺１４ａの長さ（短辺１４ｂの長さに等しい。）を１としたとき、距離ｄ１は、０．１以上０．３以下であることが好ましい。
【００１７】
取出口形成部１０の長手方向について、ミシン目２０の一端２０ａから他端２０ｂまでの距離ｄ３（図３及び図４参照）は、長辺１２ａの長さ（長辺１２ｂの長さに等しい。）よりも小さい。距離ｄ３は、長辺１２ａの長さの４０％以上６０％以下であることが好ましい。
【００１８】
ミシン目２２は、ミシン目２０の一端２０ａと交わり、かつ取出口形成部１０の長辺１２ａと長辺１２ｂとを結んでいる。本実施形態においてミシン目２０の一端２０ａは、長辺１２ｂ上に存在する。それゆえ、ミシン目２２は、その長辺１２ｂ側の端部２２ｂにおいて、ミシン目２０の一端２０ａと交わっている。ミシン目２２は、直線状をしている。ミシン目２２は、斜めの直線に沿って形成されている。ミシン目２２の長辺１２ａ側の端部２２ａから短辺１４ａまでの距離は、ミシン目２２の端部２２ｂから短辺１４ａまでの距離よりも小さい。
【００１９】
ミシン目２４は、ミシン目２０の他端２０ｂと交わり、かつ取出口形成部１０の長辺１２ａと長辺１２ｂとを結んでいる。本実施形態においてミシン目２０の他端２０ｂは、長辺１２ｂ上に存在する。それゆえ、ミシン目２４は、その長辺１２ｂ側の端部２４ｂにおいて、ミシン目２０の他端２０ｂと交わっている。ミシン目２４は、直線状をしている。ミシン目２４は、斜めの直線に沿って形成されている。ミシン目２４の長辺１２ａ側の端部２４ａから短辺１４ｂまでの距離は、ミシン目２４の端部２４ｂから短辺１４ｂまでの距離よりも小さい。
【００２０】
図３及び図４は、それぞれ保持部３０及び保持部４０を示す平面図である。保持部３０（第１の保持部）は、取出口形成部１０におけるミシン目２０、２２，２４と長辺１２ａとで囲まれた部分である。保持部４０（第２の保持部）は、取出口形成部１０におけるミシン目２０、２２，２４と長辺１２ｂとで囲まれた部分（ミシン目２０及び長辺１２ｂのみで囲まれた部分を含む。）である。
【００２１】
図３に示すように、保持部３０の対向辺３０ａは、複数の凸部３２を有している。対向辺３０ａは、保持部３０における保持部４０に対向する辺である。対向辺３０ａは、取出口形成部１０をミシン目２０に沿って切ったときの切口に一致する。複数の凸部３２は、先端が角張った凸部である角凸部を含んでいる。本実施形態においては、対向辺３０ａが有する全ての凸部３２が角凸部である。対向辺３０ａが有する各凸部３２は、長辺１２ｂまで達している。
【００２２】
図４に示すように、保持部４０の対向辺４０ａは、複数の凸部４２を有している。対向辺４０ａは、保持部４０における保持部３０に対向する辺である。対向辺４０ａは、取出口形成部１０をミシン目２０に沿って切ったときの切口に一致する。複数の凸部４２は、角凸部に加えて、先端が丸みを帯びた凸部である丸凸部を含んでいる。取出口形成部１０の短手方向について、対向辺４０ａにおいて最端に位置する凸部４２ａは、対向辺４０ａにおいて最端以外に位置する凸部４２ｂよりも出っ張っている。すなわち、凸部４２ａの先端の方が、凸部４２ｂの先端よりも、長辺１２ａに近い位置にある。本実施形態において、凸部４２ａは丸凸部であり、凸部４２ｂは角凸部である。
【００２３】
長辺１２ａには、保持部３０を長辺１２ａに沿って折り曲げるための折り線７０（谷折線）が設けられている。折り線７０は、ミシン目２２の端部２２ａとミシン目２４の端部２４ａとを結ぶ線分上に設けられている。折り線７０には、当該折り線７０に沿って保持部３０を折り曲げやすいように、折り筋が予め形成されていることが好ましい。ただし、折り線７０は、ユーザに折目となる位置を知らせるための、衛生用紙収納箱１の上面に印刷された線のみからなっていてもよい。
【００２４】
他方、長辺１２ｂには、保持部４０を長辺１２ｂに沿って折り曲げるための折り線が設けられていない。すなわち、本実施形態において衛生用紙収納箱１は、保持部４０が折り曲げられていない状態で使用される。
【００２５】
さらに、取出口形成部１０は、ミシン目５１（第１の副切込線）、ミシン目５２（第２の副切込線）、ミシン目５３（第３の副切込線）及びミシン目５４（第４の副切込線）を有している。ミシン目５１は、ミシン目２２の端部２２ａと長辺１２ｂとを結んでいる。ミシン目５１は、直線状をしている。ミシン目５１は、斜めの直線に沿って形成されている。ミシン目５１の長辺１２ａ側の端部５１ａから短辺１４ａまでの距離は、ミシン目５１の長辺１２ｂ側の端部５１ｂから短辺１４ａまでの距離よりも大きい。ミシン目２２とミシン目５１と長辺１２ｂとで囲まれた部分である補助部６１（第１の補助部）は、三角形をしている。
【００２６】
ミシン目５２は、ミシン目２４の端部２４ａと長辺１２ｂとを結んでいる。ミシン目５２は、直線状をしている。ミシン目５２は、斜めの直線に沿って形成されている。ミシン目５２の長辺１２ａ側の端部５２ａから短辺１４ｂまでの距離は、ミシン目５２の長辺１２ｂ側の端部５２ｂから短辺１４ｂまでの距離よりも大きい。ミシン目２４とミシン目５２と長辺１２ｂとで囲まれた部分である補助部６２（第２の補助部）は、三角形をしている。
【００２７】
長辺１２ｂには、補助部６１を長辺１２ｂに沿って折り曲げるための折り線７１（谷折線）が設けられている。折り線７１は、ミシン目２２の端部２２ｂとミシン目５１の端部５１ｂとを結ぶ線分上に設けられている。折り線７１には、当該折り線７１に沿って補助部６１を折り曲げやすいように、折り筋が予め形成されていることが好ましい。
【００２８】
長辺１２ｂには、補助部６２を長辺１２ｂに沿って折り曲げるための折り線７２（谷折線）が設けられている。折り線７２は、ミシン目２４の端部２４ｂとミシン目５２の端部５２ｂとを結ぶ線分上に設けられている。折り線７２には、当該折り線７２に沿って補助部６２を折り曲げやすいように、折り筋が予め形成されていることが好ましい。
【００２９】
ミシン目５３は、ミシン目５１の端部５１ｂと長辺１２ａとを結んでいる。ミシン目５３は、直線状をしている。ミシン目５３は、斜めの直線に沿って形成されている。ミシン目５３の長辺１２ａ側の端部５３ａから短辺１４ａまでの距離は、ミシン目５３の長辺１２ｂ側の端部５３ｂから短辺１４ａまでの距離よりも小さい。本実施形態において端部５３ａは、短辺１４ａ上に存在する。それゆえ、端部５３ａから短辺１４ａまでの距離は、０である。ミシン目５１とミシン目５３と長辺１２ａとで囲まれた部分である補助部６３（第３の補助部）は、三角形をしている。
【００３０】
ミシン目５４は、ミシン目５２の端部５２ｂと長辺１２ａとを結んでいる。ミシン目５４は、直線状をしている。ミシン目５４は、斜めの直線に沿って形成されている。ミシン目５４の長辺１２ａ側の端部５４ａから短辺１４ｂまでの距離は、ミシン目５４の長辺１２ｂ側の端部５４ｂから短辺１４ｂまでの距離よりも小さい。本実施形態において端部５４ａは、短辺１４ｂ上に存在する。それゆえ、端部５４ａから短辺１４ｂまでの距離は、０である。ミシン目５２とミシン目５４と長辺１２ａとで囲まれた部分である補助部６４（第４の補助部）は、三角形をしている。
【００３１】
長辺１２ａには、補助部６３を長辺１２ａに沿って折り曲げるための折り線７３（谷折線）が設けられている。折り線７３は、ミシン目５１の端部５１ａとミシン目５３の端部５３ａとを結ぶ線分上に設けられている。折り線７３には、当該折り線７３に沿って補助部６３を折り曲げやすいように、折り筋が予め形成されていることが好ましい。
【００３２】
長辺１２ａには、補助部６４を長辺１２ａに沿って折り曲げるための折り線７４（谷折線）が設けられている。折り線７４は、ミシン目５２の端部５２ａとミシン目５４の端部５４ａとを結ぶ線分上に設けられている。折り線７４には、当該折り線７４に沿って補助部６４を折り曲げやすいように、折り筋が予め形成されていることが好ましい。
【００３３】
短辺１４ａ上には、ミシン目５５（切込線）が形成されている。ミシン目５５は、短辺１４ａの全体にわたって設けられている。ミシン目５３とミシン目５５と長辺１２ｂとで囲まれた部分である補助部６５は、直角三角形をしている。
【００３４】
短辺１４ｂ上には、ミシン目５６（切込線）が形成されている。ミシン目５６は、短辺１４ｂの全体にわたって設けられている。ミシン目５４とミシン目５６と長辺１２ｂとで囲まれた部分である補助部６６は、直角三角形をしている。
【００３５】
長辺１２ｂには、補助部６５を長辺１２ｂに沿って折り曲げるための折り線７５（谷折線）が設けられている。折り線７５は、ミシン目５３の端部５３ｂとミシン目５５の長辺１２ｂ側の端部とを結ぶ線分上に設けられている。折り線７５には、当該折り線７５に沿って補助部６５を折り曲げやすいように、折り筋が予め形成されていることが好ましい。
【００３６】
長辺１２ｂには、補助部６６を長辺１２ｂに沿って折り曲げるための折り線７６（谷折線）が設けられている。折り線７６は、ミシン目５４の端部５４ｂとミシン目５６の長辺１２ｂ側の端部とを結ぶ線分上に設けられている。折り線７６には、当該折り線７６に沿って補助部６６を折り曲げやすいように、折り筋が予め形成されていることが好ましい。
【００３７】
図５は、衛生用紙収納箱１の使用時の様子を示す斜視図である。また、図６は、図５のVI−VI線に沿った端面の構造を説明するための図である。図５及び図６においては、衛生用紙の図示を省略している。衛生用紙収納箱１を使用するには、まず、ミシン目２０、ミシン目２２及びミシン目２４に沿って取出口形成部１０に切目を入れる。その後、保持部３０を折り線７０に沿って斜め上方に折り曲げる。これにより、保持部３０と保持部４０との間に、取出口となる隙間Ｓ１が形成される。さらに、本実施形態においては、ミシン目５１〜５６に沿って取出口形成部１０に切目を入れる。その後、補助部６１〜６６をそれぞれ折り線７１〜７６に沿って斜め上方に折り曲げる。これにより、図５に示す衛生用紙収納箱１が得られる。
【００３８】
衛生用紙収納箱１の効果を説明する。衛生用紙収納箱１においては、ミシン目２０、ミシン目２２及びミシン目２４が設けられている。これにより、取出口形成部１０には、ミシン目２０，２２，２４と長辺１２ａとで囲まれた部分である保持部３０と、ミシン目２０，２２，２４と長辺１２ｂとで囲まれた部分である保持部４０とが存在する。ミシン目２０，２２，２４に沿って切目を入れた後、保持部３０を斜め上方に折り曲げることにより、保持部３０と保持部４０との間に取出口となる隙間Ｓ１を形成することができる。このとき、ミシン目２０が波状であるため、保持部３０，４０の対向辺３０ａ，４０ａに凹凸が生じる。これにより、保持部３０，４０の衛生用紙に対する保持力を強化することができる。
【００３９】
しかも、ミシン目２０の頂部２０ｃから長辺１２ｂまでの距離ｄ１は、頂部２０ｃから長辺１２ａまでの距離ｄ２の半分以下である。このようにミシン目２０を長辺１２ｂ側に寄せることにより、取出口形成部１０の短手方向について、保持部３０の長さが保持部４０の長さよりも顕著に大きくなる。この場合、図６からわかるように、折り曲げ後の保持部３０と保持部４０との間の隙間Ｓ１を、衛生用紙収納箱１の高さ方向（同図の上下方向）に広く確保しやすくなる。隙間Ｓ１が高さ方向に広ければ、同図に矢印Ａ１で示すように衛生用紙を斜めに引き上げることにより、隙間Ｓ１を通じて衛生用紙を円滑に取り出すことができる。したがって、衛生用紙に対する保持力の強化と衛生用紙の取出しの円滑化とを両立することのできる、衛生用紙収納箱１が実現されている。
【００４０】
このようにミシン目２０を長辺１２ｂ側に寄せる観点から、取出口形成部１０の短手方向について、短辺１４ａの長さを１としたとき、距離ｄ１は、０．３以下であることが好ましい。他方、距離ｄ１が小さすぎると、充分な大きさの凸部４２を形成しにくくなってしまう。かかる観点から、距離ｄ１は、０．１以上であることが好ましい。
【００４１】
保持部３０の対向辺３０ａは、複数の凸部３２を有している。これにより、凸部３２が１つしかない場合に比して、保持部３０の衛生用紙に対する保持力を強化することができる。
【００４２】
複数の凸部３２は、角凸部を含んでいる。この場合、全ての凸部３２が丸凸部である場合に比して、保持部３０の保持力を強化することができる。また、角凸部である凸部３２は、衛生用紙の切断にも用いることができる。本実施形態においては、対向辺３０ａが有する全ての凸部３２が角凸部であるため、保持部３０の保持力の強化、及び衛生用紙の切断の容易性という点で特に有利である。それゆえ、取出し時に切断を要する衛生用紙（例えばロール状の衛生用紙）が衛生用紙収納箱１に収納されている場合は、全ての凸部３２を角凸部とすることが好ましい。
【００４３】
対向辺３０ａが有する各凸部３２は、長辺１２ｂまで達している。このようにミシン目２０を長辺１２ｂ側に最大限寄せることは、隙間Ｓ１を衛生用紙収納箱１の高さ方向に広く確保するのに特に有利である。
【００４４】
保持部４０の対向辺４０ａは、複数の凸部４２を有している。これにより、凸部４２が１つしかない場合に比して、保持部４０の衛生用紙に対する保持力を強化することができる。
【００４５】
複数の凸部４２は、角凸部を含んでいる。この場合、全ての凸部４２が丸凸部である場合に比して、保持部４０の保持力を強化することができる。また、角凸部である凸部４２は、衛生用紙の切断にも用いることができる。
【００４６】
複数の凸部４２は、丸凸部を含んでいる。この場合、全ての凸部４２が角凸部である場合に比して、取出し時に衛生用紙が凸部４２に引っ掛かりにくくなるため、衛生用紙を円滑に取り出しやすくなる。
【００４７】
対向辺４０ａにおいて最端に位置する凸部４２ａは、最端以外に位置する凸部４２ｂよりも出っ張っている。丸凸部である凸部４２ａを出っ張らせることにより、取出し時に衛生用紙が角凸部である凸部４２ｂに引っ掛かりにくくなる。また、ユーザ（特に子供）が角凸部である凸部４２ｂに触れて怪我をするリスクを低減することができる。
【００４８】
長辺１２ａには、折り線７０が設けられている。これにより、保持部３０を所定の位置（折り線７０）で折り曲げやすくなる。
【００４９】
取出口形成部１０の長手方向について、ミシン目２０の一端２０ａから他端２０ｂまでの距離ｄ３は、長辺１２ａの長さよりも小さい。これにより、取出口の横幅を取出口形成部１０の横幅（長辺１２ａの長さ）よりも小さくすることができる。このように取出口の横幅を小さくした場合、取出口から引き出された衛生用紙に皺が寄りやすくなる。そうなると、衛生用紙が取出口形成部１０の短手方向に広がるため、保持部３０の対向辺３０ａ及び保持部４０の対向辺４０ａの双方が衛生用紙に当接しやすくなる。このため、保持部３０及び保持部４０の保持力を強化するのに有利である。
【００５０】
このように取出口の横幅を小さくする観点から、距離ｄ３は、長辺１２ａの長さの６０％以下であることが好ましい。他方、取出口の横幅が小さすぎると、衛生用紙を取り出しにくくなってしまう。かかる観点から、距離ｄ３は、長辺１２ａの長さの４０％以上であることが好ましい。
【００５１】
取出口形成部１０は、ミシン目５１及びミシン目５２を有している。これにより、補助部６１及び補助部６２を斜め上方に折り曲げられた状態にすることができる。これらの補助部６１及び補助部６２により、取出口から引き出された衛生用紙が当該取出口の両側に広がらないように規制することができる。
【００５２】
長辺１２ｂには、折り線７１及び折り線７２が設けられている。これにより、補助部６１及び補助部６２を所定の位置（それぞれ折り線７１及び折り線７２）で折り曲げやすくなる。
【００５３】
取出口形成部１０は、ミシン目５３及びミシン目５４を有している。これにより、補助部６３及び補助部６４を斜め上方に折り曲げられた状態にすることができる。これらの補助部６３及び補助部６４により、取出口から引き出された衛生用紙が当該取出口の両側に広がらないように規制することができる。
【００５４】
長辺１２ａには、折り線７３及び折り線７４が設けられている。これにより、補助部６３及び補助部６４を所定の位置（それぞれ折り線７３及び折り線７４）で折り曲げやすくなる。
【００５５】
本発明は、上記実施形態に限定されるものではなく、様々な変形が可能である。上記実施形態においては、保持部３０の対向辺３０ａが有する全ての凸部３２が角凸部である場合を例示した。しかし、対向辺３０ａが有する複数の凸部３２は、丸凸部を含んでいてもよい。その場合、全ての凸部３２が丸凸部であってもよいし、一部の凸部３２が丸凸部で残りの凸部３２が角凸部であってもよい。
【００５６】
上記実施形態においては、対向辺３０ａが有する全ての凸部３２の先端が揃っている場合を例示した。しかし、図７に示すように、取出口形成部１０の短手方向について、対向辺３０ａにおいて最端に位置する凸部３２（凸部３２ａ）が最端以外に位置する凸部３２（凸部３２ｂ）より出っ張っていてもよい。最端に位置する角凸部である凸部３２ａを出っ張らせることにより、衛生用紙を切断しやすくなる。衛生用紙を切断する際に最も力が要るのは、切り始め時である。それゆえ、最端の凸部３２ａを出っ張らせておけば、切り始め時に凸部３２ａを用いて衛生用紙を強い力で切断することができる。
【００５７】
上記実施形態においては、保持部４０の対向辺４０ａが有する複数の凸部４２のうち一部の凸部（凸部４２ａ）が丸凸部で残りの凸部（凸部４２ｂ）が角凸部である場合を例示した。しかし、対向辺４０ａが有する全ての凸部４２が丸凸部であってもよいし、対向辺４０ａが有する全ての凸部４２が角凸部であってもよい。
【００５８】
上記実施形態においては、長辺１２ｂに、保持部４０を長辺１２ｂに沿って折り曲げるための折り線が設けられていない場合を例示した。しかし、長辺１２ｂに、かかる折り線が設けられていてもよい。その場合、衛生用紙収納箱１は、保持部３０及び保持部４０の双方が折り曲げられた状態で使用される。上述のとおりミシン目２０は長辺１２ｂ側に寄っているため、図８に示すように、保持部３０及び保持部４０が同じ角度だけ折り曲げられたとしても、対向辺３０ａの方が対向辺４０ａよりも高い地点に位置することになる。それゆえ、保持部３０と保持部４０との間の隙間Ｓ１を、衛生用紙収納箱１の高さ方向に広く確保することができる。なお、図８は、図６と同様の端面を示している。
【００５９】
上記実施形態においては、保持部３０の対向辺３０ａが有する各凸部３２が長辺１２ｂまで達している場合を例示した。しかし、図９に示すように対向辺３０ａが有する複数の凸部３２のうち一部の凸部３２のみが長辺１２ｂまで達していてもよいし、図１０に示すように全ての凸部３２が長辺１２ｂから離間していてもよい。
【００６０】
上記実施形態においては、ミシン目２０の一端２０ａから他端２０ｂまでの距離ｄ３が長辺１２ａの長さよりも小さい場合を例示した。しかし、図１１に示すように、距離ｄ３は、長辺１２ａの長さに等しくてもよい。すなわち、取出口形成部１０の長手方向の全体にわたってミシン目２０を形成してもよい。その場合、ミシン目５１〜５６、補助部６１〜６６、及び折り線７１〜７６は、設けられない。同図においてミシン目２２及びミシン目２４は、それぞれ短辺１４ａ及び短辺１４ｂ上に形成されている。
【００６１】
上記実施形態においては、ミシン目２２，２４が直線状をしている場合を例示した。しかし、図１２に示すように、ミシン目２２は、ミシン目５１側に膨らんだ曲線状をしていてもよい。同様に、ミシン目２４は、ミシン目５２側に膨らんだ曲線状をしていてもよい。同図においてミシン目２２の端部２２ａから短辺１４ａまでの距離は、ミシン目２２の端部２２ｂから短辺１４ａまでの距離に等しい。また、ミシン目２４の端部２４ａから短辺１４ｂまでの距離は、ミシン目２４の端部２４ｂから短辺１４ｂまでの距離に等しい。このようにミシン目２２，２４を曲線状にした場合、保持部３０を上方に折り曲げる際、保持部３０に補助部６１，６２が干渉するため、保持部３０の折曲げ角度が大きくなりすぎるのを規制することができる。
【００６２】
上記実施形態においては、各切込線がミシン目（ミシン目２０，２２，２４，５１〜５６）である場合を例示した。すなわち、切込線の両側に力を加えたときに初めて当該切込線に沿って切目が入るように構成されている場合を例示した。しかし、切込線には、予め切目が入っていてもよい。
【符号の説明】
【００６３】
１  衛生用紙収納箱
１０  取出口形成部
１２ａ  長辺（第１の長辺）
１２ｂ  長辺（第２の長辺）
１４ａ  短辺（第１の短辺）
１４ｂ  短辺（第２の短辺）
２０  ミシン目（第１の主切込線）
２２  ミシン目（第２の主切込線）
２４  ミシン目（第３の主切込線）
３０  保持部（第１の保持部）
３０ａ  対向辺
３２  凸部
４０  保持部（第２の保持部）
４０ａ  対向辺
４２  凸部
５１  ミシン目（第１の副切込線）
５２  ミシン目（第２の副切込線）
５３  ミシン目（第３の副切込線）
５４  ミシン目（第４の副切込線）
５５  ミシン目
５６  ミシン目
６１  補助部（第１の補助部）
６２  補助部（第２の補助部）
６３  補助部（第３の補助部）
６４  補助部（第４の補助部）
６５  補助部
６６  補助部
７０  折り線
７１  折り線
７２  折り線
７３  折り線
７４  折り線
７５  折り線
７６  折り線
【図１】
2018138475.tif 000003
【図２】
2018138475.tif 000004
【図３】
2018138475.tif 000005
【図４】
2018138475.tif 000006
【図５】
2018138475.tif 000007
【図６】
2018138475.tif 000008
【図７】
2018138475.tif 000009
【図８】
2018138475.tif 000010
【図９】
2018138475.tif 000011
【図１０】
2018138475.tif 000012
【図１１】
2018138475.tif 000013
【図１２】
2018138475.tif 000014